(57)【要約】【課題】日々変化する地域の情報に対応した地図もしくは施設の情報を表示すること。【解決手段】地域情報出力装置１００は、地名入力部１２０が要求地名情報を地図表示部１４０、地名／施設表示部１８０に渡し、日時設定部１３０が要求日時情報を地図表示部１４０、地名／施設表示部１８０に渡し、地図表示部１４０は、地図情報管理サーバ２００から要求地名情報および要求日時情報に該当する地図情報を取得し、地名／施設表示部１８０が、地名／施設情報管理サーバ３００から要求地名情報および要求日時情報に該当する地名／施設情報および境界情報を取得し、表示部１６０が地図情報、地名／施設情報および境界情報をディスプレイに出力する。【選択図】        図１
2006252035.tif 000002
【特許請求の範囲】
【請求項１】
特定の地域にかかわる地域情報を出力する地域情報出力装置であって、
地名および日時の情報である地名日時情報を受付けた場合に、前記地域情報に対する更新履歴である地域更新履歴情報を記憶する記憶装置から前記地名日時情報に対応する地域情報を検索する地域情報検索手段と、
前記地域情報検索手段によって検索された地域情報を出力する地域情報出力手段と、
を備えたことを特徴とする地域情報出力装置。
【請求項２】
前記記憶装置は前記地域更新履歴情報として、地名、店舗および施設の情報である地名／施設情報の更新履歴である地名／施設更新履歴情報を記憶し、前記地域情報検索手段は、前記地名日時情報に対応する地名／施設情報を前記地域情報として検索することを特徴とする請求項１に記載の地域情報出力装置。
【請求項３】
前記記憶装置は前記地域更新履歴情報として、地図を表示するための地図情報の更新履歴である地図更新履歴情報を記憶し、前記地域情報検索手段は、前記地名日時情報に対応する地図情報を前記地域情報として検索することを特徴とする請求項１または２に記載の地域情報出力装置。
【請求項４】
前記記憶装置は行政区域にかかる境界情報の更新履歴である境界更新履歴情報を記憶し、前記地域情報検索手段は、前記地名日時情報に対応する境界情報を前記地域情報として検索することを特徴とする請求項１、２または３に記載の地域情報出力装置。
【請求項５】
前記地域情報検索手段が検索した前記地域情報を記憶する地域情報記憶手段を更に備え、前記地域情報検索手段は、前記地名日時情報を受付けた場合に、該地名日時情報の条件に合致する地域情報を前記地域情報記憶手段から検索することを特徴とする請求項１〜４のいずれか一つに記載の地域情報出力装置。
【発明の詳細な説明】
【技術分野】
【０００１】
この発明は、特定の地域にかかわる地域情報を出力する地域情報出力装置に関し、特に日々変化する地域の情報に対応した地図もしくは施設などの情報を正確に表示可能とする地域情報出力装置に関するものである。
【背景技術】
【０００２】
従来、車両等に搭載されたナビゲーション装置は、ＧＰＳ（Global Positioning System）を利用して車両の位置を特定すると共に、ＨＤＤ（Hard Disk Drive）またはＣＤ−Ｒ（CD Recordable）などの記憶媒体から地図情報および施設情報（施設の営業時間など）を読み取って、車両の位置周辺の地図や施設の情報を表示している。
【０００３】
しかし、新たな道路の建設あるいは新たな施設が開店するなどし、地図上に表示すべき情報は日々変化しているため、ナビゲーション装置の利用者は、定期的に販売される新たな地図情報および施設情報が反映された記憶媒体を買い求め、古い情報を記録した記憶媒体と交換している。
【０００４】
なお、特許文献１に記載された発明では、施設の様相情報（施設の営業日、休業日、営業時間など）を記憶し、利用者によって日時が指定された場合に、該日時に対応する施設の様相を地図上に表示させる技術が公開されている。
【０００５】
【特許文献１】特開平９−２５１２６６号公報
【発明の開示】
【発明が解決しようとする課題】
【０００６】
しかしながら、かかる従来の技術では、最新の情報が反映された記憶媒体が流通するまでにかなりの時間を要するため、日々変化する地域の状況に対応した地図もしくは施設の情報を表示することができないという問題があった。
【０００７】
そのため、たとえ市販されている最新の記憶媒体を備えたナビゲーション装置であっても、実際とは異なる地図や施設の情報を表示してしまう恐れがあるため、利用者は大変不便であった。
【０００８】
すなわち、日々変化する地域の情報に対応した地図もしくは施設の情報を正確に表示することがきわめて重要な課題となっている。
【０００９】
この発明は、上述した従来技術による問題点を解消するためになされたものであり、日々変化する地域の情報に対応した地図もしくは施設の情報を正確に表示可能とする地域情報出力装置を提供することを目的とする。
【課題を解決するための手段】
【００１０】
上述した課題を解決し、目的を達成するため、請求項１の発明に係る地域情報出力装置は、特定の地域にかかわる地域情報を出力する地域情報出力装置であって、地名および日時の情報である地名日時情報を受付けた場合に、前記地域情報に対する更新履歴である地域更新履歴情報を記憶する記憶装置から前記地名日時情報に対応する地域情報を検索する地域情報検索手段と、前記地域情報検索手段によって検索された地域情報を出力する地域情報出力手段と、を備えたことを特徴とする。
【００１１】
この請求項１の発明によれば、地域情報出力装置は、地名および日時の情報である地名日時情報を受付けた場合に、地域情報に対する更新履歴である地域更新履歴情報を記憶する記憶装置から地名日時情報に対応する地域情報を検索し、検索した地域情報を出力する。
【００１２】
また、請求項２の発明に係る地域情報出力装置は、請求項１の発明において、前記記憶装置は前記地域更新履歴情報として、地名、店舗および施設の情報である地名／施設情報の更新履歴である地名／施設更新履歴情報を記憶し、前記地域情報検索手段は、前記地名日時情報に対応する地名／施設情報を前記地域情報として検索することを特徴とする。
【００１３】
この請求項２の発明によれば、地域情報出力装置は、地名および日時の情報である地名日時情報を受付けた場合に、地名、店舗および施設の情報である地名／施設情報の変更履歴である地名／施設更新履歴情報を記憶した記憶装置から地名日時情報に対応する地名／施設情報を検索し、検索した地名／施設情報を出力する。
【００１４】
また、請求項３の発明に係る地域情報出力装置は、請求項１または２の発明において、前記記憶装置は前記地域更新履歴情報として、地図を表示するための地図情報の更新履歴である地図更新履歴情報を記憶し、前記地域情報検索手段は、前記地名日時情報に対応する地図情報を前記地域情報として検索することを特徴とする。
【００１５】
この請求項３の発明によれば、地域情報出力装置は、地名および日時の情報である地名日時情報を受付けた場合に、地図情報の更新履歴である地図更新履歴情報を記憶した記憶装置から地名日時情報に対応する地図情報を検索し、検索した地図情報を出力する。
【００１６】
また、請求項４の発明に係る地域情報出力装置は、請求項１、２または３の発明において、前記記憶装置は行政区域にかかる境界情報の更新履歴である境界更新履歴情報を記憶し、前記地域情報検索手段は、前記地名日時情報に対応する境界情報を前記地域情報として検索することを特徴とする。
【００１７】
この請求項４の発明によれば、地域情報出力装置は、地名および日時の情報である地名日時情報を受付けた場合に、行政区域にかかる境界情報の更新履歴である境界更新履歴情報を記憶した記憶装置から地名日時情報に対応する境界情報を検索し、検索した境界情報を出力する。
【００１８】
また、請求項５の発明に係る地域情報出力装置は、請求項１〜４のいずれか一つの発明において、前記地域情報検索手段が検索した前記地域情報を記憶する地域情報記憶手段を更に備え、前記地域情報検索手段は、前記地名日時情報を受付けた場合に、該地名日時情報の条件に合致する地域情報を前記地域情報記憶手段から検索することを特徴とする。
【００１９】
この請求項５の発明によれば、地域情報出力装置は、地名および日時の情報である地名日時情報を受付けた場合に、地名日時情報の条件に合致する地域情報を自装置の記憶部から検索し、検索した地域情報を出力する。
【発明の効果】
【００２０】
請求項１の発明によれば、地域情報出力装置は、地名および日時の情報である地名日時情報を受付けた場合に、地域情報に対する更新履歴である地域更新履歴情報を記憶する記憶装置から地名日時情報に対応する地域情報を検索し、検索した地域情報を出力するので、地域の変化に対応した地域情報を正確に表示することができる。
【００２１】
また、請求項２の発明によれば、地域情報出力装置は、地名および日時の情報である地名日時情報を受付けた場合に、地名、店舗および施設の情報である地名／施設情報の変更履歴である地名／施設更新履歴情報を記憶した記憶装置から地名日時情報に対応する地名／施設情報を検索し、検索した地名／施設情報を出力するので、地名、店舗および施設の変化に対応した地名／施設情報を表示することができる。
【００２２】
また、請求項３の発明によれば、地域情報出力装置は、地名および日時の情報である地名日時情報を受付けた場合に、地図情報の更新履歴である地図更新履歴情報を記憶した記憶装置から地名日時情報に対応する地図情報を検索し、検索した地図情報を出力するので、道路の増設などに伴う地図の変化に対応した地図情報を表示することができる。
【００２３】
また、請求項４の発明によれば、地域情報出力装置は、地名および日時の情報である地名日時情報を受付けた場合に、行政区域にかかる境界情報の更新履歴である境界更新履歴情報を記憶した記憶装置から地名日時情報に対応する境界情報を検索し、検索した境界情報を出力するので行政区域の変化による境界の変化に対応した境界情報を表示することができる。
【００２４】
また、請求項５の発明によれば、地域情報出力装置は、地名および日時の情報である地名日時情報を受付けた場合に、地名日時情報の条件に合致する地域情報を自装置の記憶部から検索し、検索した地域情報を出力するので、ネットワークなどにかかる負荷を軽減させることができる。
【発明を実施するための最良の形態】
【００２５】
以下に添付図面を参照して、この発明に係る地域情報出力装置の好適な実施の形態を詳細に説明する。
【実施例】
【００２６】
本実施例にかかる地域情報出力装置は、利用者から地名および日時の情報である地名日時情報を受付けた場合に、特定の地域にかかわる地域情報の更新履歴を記憶したサーバと通信を行い、該地名日時情報に対応する地域情報を取得すると共に、取得した地域情報をディスプレイなどに表示する。
【００２７】
なお、地域情報は、地図を表示するための地図情報と、地名、店舗および施設などの情報（存在の有無および営業時間など）である地名／施設情報と、行政区域の境界にかかわる境界情報とを有する。
【００２８】
次に、本実施例にかかる地域情報出力装置の構成について説明する。図１は、本実施例にかかる地域情報出力装置の構成を示す機能ブロック図である。同図に示すように、この地域情報出力装置１００は、ネットワーク５０を介して地図情報管理サーバ２００および地名／施設情報管理サーバ３００に接続されている。
【００２９】
地図情報管理サーバ２００は、地図情報の更新履歴である地図更新履歴情報を管理する装置である。図２は、地図情報管理サーバ２００が管理する地図更新履歴情報の一例を示す図である。同図に示すように、この地図更新履歴情報は、「地点情報」、「緯度情報」、「経度情報」、「標高情報」、「所轄行政情報」、「地名」および「日時情報」からなる。
【００３０】
ここで、「地点情報」は、地点の名称を示す情報であり、「緯度情報」は、地点情報によって特定される地点の緯度の情報を示し、「経度情報」は、地点情報によって特定される地点の経度の情報を示し、「標高情報」は、地点情報によって特定される地点の標高の情報を示し、「所轄行政情報」は、地点情報によって特定される地点を管理する行政の情報を示し、「地名」は、地点情報によって特定される地点にかかわる地名を示し、「日時情報」は、各情報が効力を発した日時を示す情報である。
【００３１】
例えば、図２より、緯度「Ｎ３５°２０´４５´´（北緯３５度２０分４５秒）」、経度「Ｅ１３９°４３´２７´´（東経１３９度４３分２７秒）」、標高「１２０．３２８７ｍ」、「地名Ａ」に存在する「地点Ａ」は、「Ａ町」によって管理されており、この各情報は「１９７０年１２月１日」に効力を発した旨を示す。
【００３２】
地名／施設情報管理サーバ３００は、地名／施設情報の更新履歴である地名／施設更新履歴情報および境界情報の更新履歴である境界更新履歴情報を管理する装置である。図３は、地名／設備情報管理サーバ３００が管理する地名／施設更新履歴情報の一例を示す図であり、図４は、地名／施設情報管理サーバ３００が管理する境界更新履歴情報の一例を示す図である。
【００３３】
図３に示すように、地名／施設更新履歴情報は、「名称」、「緯度情報」、「経度情報」、「営業時間情報」、「存在有無情報」および「日時情報」からなる。ここで、「名称」は、店舗、施設の名称または地名を示す情報であり、「緯度情報」は、名称によって特定される店舗、施設または地名にかかる緯度の情報を示し、「経度情報」は、名称によって特定される店舗、施設または地名にかかる経度の情報を示し、「営業時間情報」は、店舗または施設の営業時間にかかる情報を示し（地名にかかる営業時間は無しとなる）、「存在有無情報」は、名称によって特定される店舗、施設または地名が存在するか否かの情報を示し、「日時情報」は、各情報が効力を発した日時を示す情報である。
【００３４】
例えば、図３より、緯度「Ｎ３５°２２´５３´´（北緯３５度２２分５３秒）」、経度「Ｅ１３９°０３´１５´´（東経１３９度０３分１５秒）」に位置する「店舗Ａ」は「存在」しており営業時間は「７：００〜２３：００」であり、この各情報は「２００１年４月１日」に効力を発した旨を示す。
【００３５】
図４の説明に移ると、境界更新履歴情報は、同図に示すように、「市名」、「構成する町村名１〜４」および「施行日時情報」からなる。ここで、「市名」は、市の名称を示す情報であり、「構成する町村名１〜４」は、市を構成する町村の名称を示す情報であり、「施行日時情報」は、各情報が施行された日時を示す情報である。
【００３６】
例えば、図４より、「Ｄ市」は、「Ａ町」および「Ｂ町」から構成され、この情報が施行された日時が「２００４年１月１日」であることを示す。
【００３７】
図１の説明に戻ると、地域情報出力装置１００は、位置検出部１１０と、地名入力部１２０と、日時設定部１３０と、地図表示部１４０と、通信部１５０と、表示部１６０と、記憶部１７０と、地名／施設表示部１８０とを有する。
【００３８】
位置検出部１１０は、人工衛星（図示しない）から電波を受信して、すなわちＧＰＳ（Global Positioning System）を利用して、地域情報出力装置１００の位置を測定すると共に現在の日時を特定し、測定した位置および日時の情報（以下、測定位置情報と表記する）を地図表示部１４０に渡す処理部である。測定位置情報は、緯度、経度および日時の情報、すなわち、「北緯３５°２０分４０秒、東経１３９°４３分２７秒、２００４年３月２０日２３時３０分」といった情報が含まれる。
【００３９】
地名入力部１２０は、キーボードなどの入力装置（図示しない）から地名に関わる情報（以下、要求地名情報と表記する）を受付け、受付けた要求地名情報を地図表示部１４０および地名／施設表示部１８０に渡す処理部である。
【００４０】
また、地名入力部１２０は、入力装置から受付けた要求地名情報を記録し、該記録した要求地名情報と同じ要求地名情報を再度入力装置から受付けた場合には、その旨を地図表示部１４０および地名／施設表示部１８０に通知する。
【００４１】
日時設定部１３０は、キーボードなどの入力装置から日時に関わる情報（以下、要求日時情報）を受付け、受付けた要求日時情報を地図表示部１４０および地名／施設表示部１８０に渡す処理部である。
【００４２】
また、日時設定部１３０は、入力装置から受付けた要求日時情報を記録し、該記録した要求日時情報と同じ要求日時情報を再度入力装置から受付けた場合には、その旨を地図表示部１４０および地名／施設表示部１８０に通知する。
【００４３】
地図表示部１４０は、位置検出部１１０、地名入力部１２０および日時設定部１３０から測定位置情報、要求地名情報および要求日時情報をそれぞれ取得し、取得した情報に対応する地図情報を、通信部１５０を介して地図情報管理サーバ２００に要求し、地図情報管理サーバ２００から地図情報を受け取った場合には、該地図情報を表示部１６０に渡す処理部である。
【００４４】
なお、通信部１５０は、所定の通信プロトコルを利用して地図情報管理サーバおよび地名／施設情報管理サーバ３００と通信を行う処理部であり、表示部１６０は、地図表示部１４０および地名／施設表示部１８０からそれぞれ地図情報、地名／施設情報および境界情報をディスプレイなどの表示装置（図示しない）に表示させる処理部である。なお、表示部１６０は、ディスプレイに地図情報、地名／施設情報および境界情報を重ね合わせた後に、表示装置に表示させる。
【００４５】
ここで、地図表示部１４０について具体的に説明すると、地図表示部１４０は、測定位置情報が「北緯３５°２０分４０秒、東経１３９°４３分２７秒、２００４年３月２０日２３時３０分」という情報を含んでいる場合には、日時が２００４年３月２０日２３時３０分に対応し、かつ北緯３５°２０分４０秒、東経１３９°４３分２７秒周辺の地図情報を取得することになる。
【００４６】
そして、地名入力部１２０および日時設定部１３０から要求地名情報および要求日時情報をそれぞれ取得した場合には、該要求地名情報および要求日時情報に対応する地図情報を地図情報管理サーバ２００に要求し、該要求に対応した地図情報を表示部１６０に渡す。
【００４７】
例えば、要求地名情報が「地名Ａ」であり、要求日時情報が「２００４年３月２０日」である場合には、該当する地図情報は、図２より、地点Ａ（ここでは説明の便宜上、地点Ａについて説明する）に関しては、上から１段目の情報、すなわち、緯度「Ｎ３５°２０´４５´´」、経度「Ｅ１３９°４３´４５´´」、標高「１２０．３２８７ｍ」、所轄行政「Ｄ市」となる。
【００４８】
地図情報管理サーバ２００は、現在の地図情報だけでなく、過去の地図情報、未来に想定される（例えば、現在工事中で、将来完成予定の道路など）地図情報を保持しているので、地域情報出力装置１００は、利用者が要求する日時および地名にかかわる地図情報を現在、過去、未来に関わらず表示することができる。
【００４９】
なお、地図表示部１４０は、要求地名情報、要求日時情報および対応する地図情報を関連付けて記憶部１７０に記憶する。記憶部１７０は、地図表示部１４０および地名／施設表示部１８０から渡される情報を表示履歴情報１７０ａとして記憶する記憶部である。
【００５０】
すなわち、地図表示部１４０は、地名入力部１２０または日時設定部１３０から、同じ要求地名情報または要求日時情報を受付けた旨の通知を受付けた場合には、地図情報管理サーバ２００と通信することなく、該当する地図情報を記憶部１７０から検索し、検索した情報を表示部１６０に渡す。
【００５１】
このように、地図表示部１４０は、同じ要求地名情報および要求日時情報を受付けた旨の通知をうけた場合には、地図情報管理サーバ２００と通信する必要性をなくすことができるので、ネットワーク５０および地図情報管理サーバ２００に対する負荷軽減を図ることができる。
【００５２】
地名／施設表示部１８０は、地名入力部１２０および日時設定部１３０から要求地名情報および要求日時情報をそれぞれ取得し、取得した情報に対応する地名／施設情報および境界情報を、通信部１５０を介して地名／施設情報管理サーバ３００に要求し、地名／施設情報および境界情報を受け取った場合には、該地名／施設情報および境界情報を表示部１６０に渡す処理部である。
【００５３】
例えば、要求地名情報「地名Ａ」、要求日時情報「２００４年３月２０日」に対応する地名／施設情報は、図３に示す地名／施設更新履歴情報の上から５行目のデータ、すなわち名称「地名Ａ」、緯度「Ｎ３５°１２´５３´´〜２１´５３´´」、経度「Ｅ１３９°２´５３´´〜２０´５３´´」と、上から２行目のデータである名称「Ｂ店舗」、緯度「Ｎ３５°２１´２１´´」、経度「Ｎ１３９°１３´１８´´」、営業時間「０６：００〜２０：００」とが対応することになる。
【００５４】
なお、地名／施設更新履歴情報の上から１行目のデータは、「地名Ａ」の領域（緯度「Ｎ３５°１２´５３´´〜２１´５３´´」、経度「Ｅ１３９°２´５３´´〜２０´５３´´」）に含まれないため、要求地名情報「地名Ａ」、要求日時情報「２００４年３月２０日」に該当するデータにはならない。
【００５５】
要求地名情報「地名Ａ」、要求日時情報「２００４年３月２０日」に対応する境界情報は、図４に示す境界更新履歴情報の上から１行目のデータである市名「Ｄ市」、構成する町村名１「Ａ町」、構成する町村名２「Ｂ町」および境界更新履歴情報の上から３行目のデータである市名「Ｇ市」、構成する町村名１「Ｈ町」、構成する町村名２「Ｉ町」、構成する町村名「Ｊ町」となる。
【００５６】
また、地名／施設情報表示部１８０は、要求地名情報、要求日時情報、対応する地名／施設情報および境界情報を関連付け、表示履歴情報１７０ａとして記憶する。すなわち、地名／施設情報表示部１８０は、地名入力部１２０または日時設定部１３０から、同じ要求地名情報または要求日時情報を受付けた旨の通知をうけた場合には、地名／施設情報管理サーバ３００と通信することなく、該当する地名／施設情報および境界情報を記憶部１７０から検索し、検索した情報を表示部１６０に渡す。
【００５７】
このように、地名／施設情報表示部１８０は、地名／施設情報管理サーバ３００と通信する必要性をなくすことができるので、ネットワーク５０および地名／施設情報管理サーバ３００に対する負荷軽減を図ることができる。
【００５８】
次に、表示部１６０がディスプレイに出力する画像について説明する。図５〜図８は、表示部１６０がディスプレイに出力する画像の一例を説明するための説明図である。図５および図６に示すように、同じ地域の情報であっても、要求日時情報が異なると、ディスプレイに表示される画像が異なる。すなわち、要求日時情報がＡ町、Ｂ町、Ｃ町の合併前の場合には、図５のようにＡ町、Ｂ町、Ｃ町が表示されるが、要求日時情報が合併後である場合には、図６のように合併後のＤ市のみ表示される。
【００５９】
また、図７および図８に示すように、要求日時情報がＤ店舗閉店前の場合には、図７のようにＡ店舗、Ｂ店舗、Ｃ店舗、Ｄ店舗が表示されるが、要求日時情報がＤ閉店後の場合には、図８のようにＡ店舗、Ｂ店舗、Ｃ店舗のみ表示される（Ｄ店舗が閉店したためディスプレイ上に表示されない）。
【００６０】
次に、本実施例にかかる地域情報出力装置１００の処理手順について説明する。図９は、本実施例にかかる地域情報出力装置１００の処理手順を示すフローチャートである。同図に示すように、地域情報出力装置は、地図表示部１４０が記憶部１７０に対する初期化処理を行い（ステップＳ１０１）、入力装置から地図の表示尺度などの操作入力を受付ける（ステップＳ１０２）。
【００６１】
そして、位置検出部１１０が位置を特定し（ステップＳ１０３）、日時を特定し、特定した情報を測定位置情報として地図表示部１４０に渡し（ステップＳ１０４）、地図表示部１４０が測定位置情報に対応する地図情報を地図情報管理サーバ２００から取得し、取得した地図情報を表示部１６０に渡し（ステップＳ１０５）、表示部１６０は、地図情報に基づいた地図をディスプレイに表示させる（ステップＳ１０６）。
【００６２】
続いて、地名入力部１２０および日時設定部１３０が、要求地名情報および要求日時情報を受付け、受付けた要求地名情報および要求日時情報を地図表示部１４０および地名／施設表示部１８０に渡し（ステップＳ１０７）、地図表示部１４０が要求地名情報および要求日時情報に対応する地図情報を地図情報管理サーバ２００から取得し、取得した地図情報を表示部１６０に渡す（ステップＳ１０８）。
【００６３】
そして、地名／施設表示部１８０が要求地名情報および要求日時情報に対応する地名／施設情報および境界情報を地名／施設情報管理サーバ３００から取得し、取得した地名／施設情報および境界情報を表示部１６０に渡す（ステップＳ１０９）。
【００６４】
続いて、表示部１６０は、地図情報、地名／施設情報および境界情報を重ね合わせ、ディスプレイに出力し（ステップＳ１１０）、地図表示部１４０および地名／施設表示部１８０は地図情報、地名／施設情報および境界情報を要求地名情報および要求日時情報と関連付けて、記憶部１７０に記憶する（ステップＳ１１１）。
【００６５】
このように、要求地名情報および要求日時情報を基にして、地図表示部１４０および地名／施設表示部１８０が地図情報管理サーバ２００、地名／施設情報管理サーバ３００から対応する地図情報、地名／施設情報および境界情報を取得するので、地域情報出力装置１００は、利用者が所望する日時および地名にかかる情報を正確に表示することができる。
【００６６】
なお、図９のフローチャートのステップＳ１０７において、地名入力部１２０または日時設定部１３０が要求地名情報または要求日時情報を受付けた場合に、以前に受付けた要求地名情報、要求日時情報と同等であると判断した場合には、その旨を地図表示部１４０および地名／施設表示部１８０に通知し、地図表示部１３０および地名／施設表示部１８０は、地図情報管理サーバ２００および地名／施設情報管理サーバ３００にアクセスすることなく、該当する情報を記憶部１７０から検索し、検索した情報を表示部１６０に渡す。
【００６７】
上述してきたように、本実施例にかかる地域情報出力装置１００は、地名入力部１２０が要求地名情報を地図表示部１４０、地名／施設表示部１８０に渡し、日時設定部１３０が要求日時情報を地図表示部１４０、地名／施設表示部１８０に渡し、地図表示部１３０は、地図更新履歴情報を記憶した地図情報管理サーバ２００から要求地名情報および要求日時情報に該当する地図情報を取得し、地名／施設表示部１８０が、地名／施設更新情報および境界更新履歴情報を記憶した地名／施設情報管理サーバ３００から要求地名情報および要求日時情報に該当する地名／施設情報および境界情報を取得し、表示部１６０が地図情報、地名／施設情報および境界情報をディスプレイに出力するので、日々変化する地域の情報に対応した地図もしくは施設の情報を正確に表示することができる。
【００６８】
なお、本実施例では、地図表示部１３０および地名／施設表示部１８０は、要求地名情報および要求日時情報を受付けた場合に、地図情報管理サーバ２００および地名／施設情報管理サーバ３００と通信を行い、地図情報、地名／施設情報および境界情報にかかる情報を全て取得したが、記憶部１７０に記憶された地図情報、地名／施設情報および境界情報の更新された情報だけ地図情報管理サーバ２００および地名／施設情報管理サーバ３００から取得するようにしても良い。
【００６９】
また、表示部１６０は、地図表示部１４０および地名／施設表示部１８０から複数の地図情報、地名／施設情報および境界情報を取得した場合には、それぞれの情報を切り替えて、ディスプレイに表示させるようにしても良い。
【００７０】
（付記１）特定の地域にかかわる地域情報を出力する地域情報出力装置であって、
地名および日時の情報である地名日時情報を受付けた場合に、前記地域情報に対する更新履歴である地域更新履歴情報を記憶する記憶装置から前記地名日時情報に対応する地域情報を検索する地域情報検索手段と、
前記地域情報検索手段によって検索された地域情報を出力する地域情報出力手段と、
を備えたことを特徴とする地域情報出力装置。
【００７１】
（付記２）前記記憶装置は前記地域更新履歴情報として、地名、店舗および施設の情報である地名／施設情報の更新履歴である地名／施設更新履歴情報を記憶し、前記地域情報検索手段は、前記地名日時情報に対応する地名／施設情報を前記地域情報として検索することを特徴とする付記１に記載の地域情報出力装置。
【００７２】
（付記３）前記記憶装置は、将来予定されている地名、店舗および施設の情報である将来情報と該将来情報にかかる予定日とを関連付けて記憶していることを特徴とする付記２に記載の地域情報出力装置。
【００７３】
（付記４）前記記憶装置は前記地域更新履歴情報として、地図を表示するための地図情報の更新履歴である地図更新履歴情報を記憶し、前記地域情報検索手段は、前記地名日時情報に対応する地図情報を前記地域情報として検索することを特徴とする付記１、２または３に記載の地域情報出力装置。
【００７４】
（付記５）前記記憶装置は行政区域にかかる境界情報の更新履歴である境界更新履歴情報を記憶し、前記地域情報検索手段は、前記地名日時情報に対応する境界情報を前記地域情報として検索することを特徴とする付記１〜４のいずれか一つに記載の地域情報出力装置。
【００７５】
（付記６）前記地域情報検索手段が検索した前記地域情報を記憶する地域情報記憶手段を更に備え、前記地域情報検索手段は、前記地名日時情報を受付けた場合に、該地名日時情報の条件に合致する地域情報を前記地域情報記憶手段から検索することを特徴とする付記１〜５のいずれか一つに記載の地域情報出力装置。
【００７６】
（付記７）特定の地域にかかわる地域情報を出力する地域情報出力方法であって、
地名および日時の情報である地名日時情報を受付けた場合に、前記地域情報に対する更新履歴である地域更新履歴情報を記憶する記憶装置から前記地名日時情報に対応する地域情報を検索する地域情報検索工程と、
前記地域情報検索工程によって検索された地域情報を出力する地域情報出力工程と、
を含んだことを特徴とする地域情報出力方法。
【００７７】
（付記８）前記記憶装置は前記地域更新履歴情報として、地名、店舗および施設の情報である地名／施設情報の更新履歴である地名／施設更新履歴情報を記憶し、前記地域情報検索工程は、前記地名日時情報に対応する地名／施設情報を前記地域情報として検索することを特徴とする付記７に記載の地域情報出力方法。
【００７８】
（付記９）前記記憶装置は前記地域更新履歴情報として、地図を表示するための地図情報の更新履歴である地図更新履歴情報を記憶し、前記地域情報検索工程は、前記地名日時情報に対応する地図情報を前記地域情報として検索することを特徴とする付記７または８に記載の地域情報出力方法。
【００７９】
（付記１０）前記記憶装置は行政区域にかかる境界情報の更新履歴である境界更新履歴情報を記憶し、前記地域情報検索工程は、前記地名日時情報に対応する境界情報を前記地域情報として検索することを特徴とする付記７、８または９に記載の地域情報出力方法。
【産業上の利用可能性】
【００８０】
以上のように、本発明にかかる地域情報出力装置は、日々変化する地域の情報に対応した地図を表示する必要のあるナビゲーションシステムなどに対して有用である。
【図面の簡単な説明】
【００８１】
【図１】本実施例にかかる地域情報出力装置の構成を示す機能ブロック図である。
【図２】地図情報管理サーバが管理する地図更新履歴情報の一例を示す図である。
【図３】地名／設備情報管理サーバが管理する地名／施設更新履歴情報の一例を示す図である。
【図４】地名／施設情報管理サーバが管理する境界更新履歴情報の一例を示す図である。
【図５】表示部がディスプレイに出力する画像の一例を説明するための説明図（１）である。
【図６】表示部がディスプレイに出力する画像の一例を説明するための説明図（２）である。
【図７】表示部がディスプレイに出力する画像の一例を説明するための説明図（３）である。
【図８】表示部がディスプレイに出力する画像の一例を説明するための説明図（４）である。
【図９】本実施例にかかる地域情報出力装置の処理手順を示すフローチャートである。
【符号の説明】
【００８２】
５０    ネットワーク
１００    地域情報出力装置
１１０    位置検出部
１２０    地名入力部
１３０    日時設定部
１４０    地図表示部
１５０    通信部
１６０    表示部
１７０    記憶部
１７０ａ  表示履歴情報
１８０    地名／施設表示部
２００    地図情報管理サーバ
３００    地名／施設情報管理サーバ
【図１】
2006252035.tif 000003
【図２】
2006252035.tif 000004
【図３】
2006252035.tif 000005
【図４】
2006252035.tif 000006
【図５】
2006252035.tif 000007
【図６】
2006252035.tif 000008
【図７】
2006252035.tif 000009
【図８】
2006252035.tif 000010
【図９】
2006252035.tif 000011